(57)【要約】【課題】本発明は、家族やグループ間で画像データを容易に共有することができるカメラを提供する。【解決手段】本発明のデジタルカメラ１０によれば、ＩＤカード１２による個人認証手段と、個人認証手段をデジタルカメラ１０の本体内部に格納する格納手段と、無線機能による画像転送手段とを備えている。また、ＩＤカードの設定及び無線機能により、撮像した画像をサーバー１４に自動的にアップロードする。更に、ＩＤカード１２に個人のＩＤナンバーに加えて、一つ以上のグループ共有ＩＤナンバーを設定する。【選択図】      図１
2007201555.tif 000002
【特許請求の範囲】
【請求項１】
撮像した被写体像を画像記録媒体に記録可能なカメラにおいて、
ＩＤカードによる個人認証手段と、該個人認証手段をカメラ本体内部に格納する格納手段と、無線機能による画像転送手段とを備えたことを特徴とするカメラ。
【請求項２】
前記ＩＤカードの設定及び前記無線機能により、撮像した画像をサーバーに自動的にアップロードすることを特徴とする請求項１に記載のカメラ。
【請求項３】
前記ＩＤカードに個人のＩＤナンバーに加えて、一つ以上のグループ共有ＩＤナンバーが設定されていることを特徴とする請求項１又は２に記載のカメラ。
【発明の詳細な説明】
【技術分野】
【０００１】
本発明はカメラに係り、特に個人情報等の識別情報を記録した情報記録手段を備えるとともに通信機能を備えたカメラに関する。
【背景技術】
【０００２】
特許文献１に開示されたカメラは、外部からの信号に基づいて、画像以外の情報の書き込み、及び読み出しが可能な情報記録手段を備えている。この情報記録手段に対して読み書きされる情報としては、画像のプリント注文時に用いられる注文情報、決済情報、個人情報等の識別情報がある。これにより、特許文献１のカメラによれば、プリント注文の際に、手書きで注文情報、決済情報、個人情報等の識別情報を記入する必要がなく、情報記録手段に書き込んだ識別情報を読み出すだけでよいので、注文票や伝票等が不要になり、ペーパーレス化を達成できるという利点がある。
【０００３】
また、特許文献１によれば、カメラによって撮影され画像記録媒体に保存された画像データ、及びＩＣチップに保存された個人情報は、カードリーダや無線通信によるデータの書き込み／読み込みによりサーバーに格納されている。また、情報記録手段であるＩＣチップをカード形状にすることにより、カメラに着脱可能とすることも特許文献１に開示されている。
【特許文献１】特開２００２−３５４３８４号公報
【発明の開示】
【発明が解決しようとする課題】
【０００４】
しかしながら、特許文献１のカメラを使用したネットワークフォトシステムでは、一般家庭やオフィスに設置されたＰＣにより、画像や情報をサーバーからダウンロードする場合、ＵＲＬ、ＩＤ及びパスワード等の複数の情報を入力する必要があった。すなわち、従来のカメラを使用したネットワークフォトシステムでは、家族やグループ間で画像データを容易に共有することができなかった。
【０００５】
本発明はこのような事情に鑑みてなされたもので、家族やグループ間で画像データを容易に共有することができるカメラを提供することを目的とする。
【課題を解決するための手段】
【０００６】
請求項１に記載の発明は、前記目的を達成するために、ＩＤカードによる個人認証手段と、該個人認証手段をカメラ本体内部に格納する格納手段と、無線機能による画像転送手段とを備えたことを特徴とする。
【０００７】
請求項２に記載の発明は、請求項１において、前記ＩＤカードの設定及び前記無線機能により、撮像した画像をサーバーに自動的にアップロードすることを特徴とする。
【０００８】
請求項３に記載の発明は、請求項１又は２において、前記ＩＤカードに個人のＩＤナンバーに加えて、一つ以上のグループ共有ＩＤナンバーが設定されていることを特徴とする。
【０００９】
また、前記ＩＤカードにグループ共有ＩＤナンバーが設定され、グループ内の他社がサーバーにアップロードしておいて画像を自動的にダウンロードすることを特徴とする。
【００１０】
更に、前記ＩＤカードをカメラ本体に格納した状態で、グループＩＤナンバーをカメラ側の操作で切り替えることを特徴とする。
【００１１】
更にまた、前記ＩＤカードに画像表示手段及び切替手段が備え付けられており、ＩＤカード側の操作によりグループＩＤナンバーを切り替えることを特徴とする。
【発明の効果】
【００１２】
本発明に係るカメラによれば、カメラに着脱可能なＩＤカードに個人ＩＤに限らず、一つ以上のグループＩＤを設定したので、家族やグループ間で画像データを容易に共有することができる。
【発明を実施するための最良の形態】
【００１３】
以下、添付図面に従って本発明に係るカメラの好ましい実施の形態について説明する。
【００１４】
図１は、実施の形態のデジタルカメラ１０を使用したネットワークフォトシステムの要図である。このネットワークフォトシステムは、無線機能を搭載したデジタルカメラ１０において、デジタルカメラ１０に差し込まれたＩＤカード１２によって個人認証を行い、ＵＲＬ、ＩＤナンバー、パスワード等の入力を必要とせず、自動的に撮影画像をサーバー１４にアップロード、ダウンロードできるシステムである。個人情報としては、氏名、生年月日、自宅電話番号、携帯電話番号、電子メールアドレス等を例示できる。なお、デジタルカメラ１０に搭載された画像記録媒体の構成は周知なので、ここでの詳細な説明は省略する。
【００１５】
アップロードは幾つかのグループＩＤを設定しておくことが可能であり、一枚のＩＤカード１２に一人以上の個人ＩＤナンバーを登録してもよい。
【００１６】
ユーザーは撮影した画像をサーバー１４にアップロードし、所定のグループＩＤを設定しておくことにより、ユーザーの家族及び友達は各自のデジタルカメラ１０のＩＤカード１２に上記グループＩＤを登録するだけで、サーバー１４から容易に画像をダウンロードすることができ、撮影画像の共有化を行うことができる。
【００１７】
ここでは、グループ内の全ての人がＩＤカード１２と同一メーカー製のデジタルカメラ１０とを所持していることを想定したが、ユーザーのＩＤカード１２を他社のデジタルカメラに差し込むことによりサーバー１４から画像をダウンロード可能としてもよい。
【００１８】
図２は、個人ＩＤナンバーの登録方法が示されたフローチャートである。
【００１９】
同図によれば、ＩＤカード１２には店舗若しくは工場において事前に任意のＩＤナンバーが書き込まれている（Ｓ（Ｓｔｅｐ）１０）。ＩＤカード１２を無線機能が搭載されているデジタルカメラ１０の本体に差し込み（Ｓ２０）、ユーザーが好みの個人ＩＤナンバーを登録するか否かを選択する（Ｓ３０）。ここでは、無線機能搭載のデジタルカメラ１０を例にフローチャートを示しているが、デジタルカメラ１０に限定されるものではなく、ＰＣ、ＰＤＡでも適用できる。また、その場合、無線機能ではなく有線のネットワークを通じてＩＤナンバーを登録することもできる。
【００２０】
次に、ＩＤカード１２を差し込んだデジタルカメラ１０を操作してＩＤナンバーを設定し（Ｓ４０）、無線通信を用いてサーバー１４に個人ＩＤナンバーを送信する（Ｓ５０）。ここでも、対象はＰＣ、ＰＤＡでも可能であり、若しくはＩＤカード１２自体を操作することにより、ＩＤナンバーを設定してもよい。すなわち、この場合、ＩＤカード１２には無線通信機能が搭載されている。
【００２１】
ここで、ＩＤナンバーの入力方法としては、イ）デジタルカメラ１０をＰＣに接続してＰＣ経由でＩＤナンバーを入力する。ロ）ＩＤカード１２を差し込んだデジタルカメラ１０の操作ボタン及び画像表示装置を用いて英数字及び文字を入力するとともに表示する。ハ）ＩＤカード１２自体のボタン及び画像表示装置を用いて英数字及び文字を入力するとともに表示する。ニ）デジタルカメラ１０又はＩＤカード１２に文字入力ボタンが備わっており、直接文字を入力する等の方法を採ることができる。
【００２２】
次に、サーバー１４に登録するＩＤナンバーが新規登録が否かをチェックし（Ｓ６０）、認証を行う（Ｓ７０）。この後、サーバー１４にユーザーの個人ＩＤナンバーを登録する（Ｓ８０）。次いで、サーバー１４に正確にＩＤナンバーが登録されたことをデジタルカメラ１０やＰＣを介してユーザーに通知する（Ｓ９０）。これにより、登録が完了する（Ｓ１００）。この後、一つのＩＤカード１２に複数の個人ＩＤナンバー又はグループＩＤナンバーを登録する場合には、Ｓ４０に戻り、同様の処理を実行する。
【００２３】
図３は、グループＩＤナンバーの登録方法が示されたフローチャートであり、ユーザー１とユーザー２がグループ登録する場合を例として示している。
【００２４】
同図によれば、まず、個人ＩＤナンバー登録時と同様の操作により、ユーザー１がグループＩＤナンバーを設定し（Ｓ１００）、サーバー１４に送信して（Ｓ１１０）、グループＩＤナンバーを登録する（Ｓ１２０）。次に、ユーザー２をグループ登録する場合には（Ｓ１３０）、サーバー１４にユーザー２の個人ＩＤナンバーを送信し、グループ登録する（Ｓ１４０）。
【００２５】
次いで、ユーザー２が自分のカードにグループＩＤナンバーを登録する場合には（Ｓ１５０）、グループＩＤナンバーをサーバー１４に送信し（Ｓ１６０）、グループＩＤナンバーを登録する（Ｓ１８０）。
【００２６】
また、サーバー１４は、このグループＩＤナンバーが新規登録ナンバーでない場合に（Ｓ１９０）、ユーザー２の個人ＩＤナンバーがユーザー１によって登録されたグループに属しているかをチェックして認証を行い（Ｓ２００）、グループに属していない場合には、デジタルカメラ側に登録不可と送信し（Ｓ２１０）、再登録を促す。グループに属している場合には、認証終了し（Ｓ２２０）、登録完了の表示をデジタルカメラ１０側に送信し（Ｓ２３０）、登録が完了する。
【００２７】
なお、ユーザー１の操作の手間を減らすために、Ｓ１４０の手順を省略してもよい。その場合、他のユーザーはグループＩＤを自由に登録することができ、例えば、グループＩＤを登録しようとするユーザー２は、イ）自由に登録することができ自動的にグループ扱いになる。ロ）サーバー１４側から既に登録されるグループＩＤであることの通知を受け、登録できない。ハ）通知は来るが自由に登録できる。の３通りのパターンとなる。また、ロ）の場合は、ユーザー１によるグループＩＤナンバーの登録時に、暗唱ナンバー等を新たに登録しておき、ユーザー２のグループ登録時に上記の暗唱ナンバーを入力するようにして登録完了としてもよい。
【００２８】
図４は、画像のアップロード方法が示されたフローチャートである。
【００２９】
同図によれば、デジタルカメラ１０にＩＤカード１２を差し込み（Ｓ３００）、自動的にアップロードしない場合であって（Ｓ３１０）、保存画像を選択する場合には（Ｓ３２０）、選択画像にチェックを入れる（Ｓ３３０）。また、保存画像の全てを選択する場合には、撮影画像毎にアップロードする（Ｓ３４０）。
【００３０】
一方、ＩＤカード１２を差し込む前に保存画像を選択する場合には、保存画像からアップロードする画像を選択してチェックを入れ（Ｓ３５０）、この後、デジタルカメラ１０にＩＤカード１２を挿入する（Ｓ３６０）。
【００３１】
次に、アップロードの確認を行わない場合には（Ｓ３７０）、自動的に画像をアップロードする（Ｓ３８０）が、アップロードの確認を行う場合には、デジタルカメラ１０の画像表示装置にアップロードの確認画面を表示させる（Ｓ３９０）。
【００３２】
次いで、アップロード時に添付するグループＩＤナンバーを設定しない場合には（Ｓ４００）、現在設定中のＩＤナンバーを自動的に画像に添付する（Ｓ４１０）。また、アップロード時に添付するグループＩＤナンバーを設定する場合には、個人又はグループのＩＤナンバーを選択し添付する（Ｓ４２０）。
【００３３】
次に、画像の保存先のサーバーを検出し（Ｓ４３０）、アップロードする（Ｓ４４０）。そして、アップロード後の保存内容を変更する場合には（Ｓ４５０）、保存画像の追加と削除を実施し（Ｓ４６０）、添付ＩＤナンバーを変更し（Ｓ４７０）、サーバーに画像の保存期間を設定する（Ｓ４８０）。
【００３４】
一方、アップロード後の保存内容を変更しない場合には、アップロードした画像をデジタルカメラ１０側に残すのか消去するのかを選択し（Ｓ４９０）、残す場合にはメディアに保存し（Ｓ５００）、消去する場合には消去する（Ｓ５１０）。以上の操作によりアップロードが完了する。
【００３５】
なお、アップロードの最中にＩＤカード１２を抜いた場合には、アップロード終了した画像は消去され未処理の画像は保存されるようにするのか、又はアップロード終了した画像にチェックが入るようにするのかを選択することができ、再びアップロードの作業をする場合の手間を省くことができる。
【００３６】
図５は、画像のダウンロード方法が示されたフローチャートである。
【００３７】
ここでは、ユーザー１とユーザー２はグループ登録済みであり、ユーザー１によってアップロードされた画像をユーザー２がダウンロードする場合を例示している。
【００３８】
まず、ユーザー２がデジタルカメラ１０を操作し、デジタルカメラ１０側から保存画像の有無を問い合わせした場合には（Ｓ６００）、グループＩＤナンバーをサーバー１４に送信し、サーバー１４に保存画像の有無を確認する（Ｓ６１０）。また、デジタルカメラ１０側から保存画像の有無を問い合わせしない場合には、デジタルカメラ１０から自動的にグループＩＤナンバーが送信され、サーバー１４が自動的にグループＩＤナンバーを読み取る（Ｓ６２０）。
【００３９】
次に、サーバー１４が保存画像に添付されているＩＤナンバーと照合し（Ｓ６３０）、一致していない場合には保存画像無し、とユーザー２のデジタルカメラに通知する（Ｓ６４０）。また、一致した場合には、自動的に画像をダウンロードするのかを選択する（Ｓ６５０）。ダウンロードしない場合には、保存画像有りとユーザー２のデジタルカメラ１０に通知し（Ｓ６６０）、グループ内の保存画像の有無をデジタルカメラ側の画像表示装置に表示する（Ｓ６７０）。そして、保存画像があり（Ｓ６８０）、ダウンロードする場合には（Ｓ６９０）、ダウンロード画像を選択する（Ｓ７００）。また、Ｓ６５０において、ダウンロードを選択した場合には、保存画像をユーザー２のデジタルカメラ１０に転送し（Ｓ７１０）、ダウンロード画像を選択する（Ｓ７００）。
【００４０】
この場合、ダウンロード画像を選択しない場合には、グループ内の全画像をダウンロードする（Ｓ７２０）。ダウンロード画像を選択する場合には、サーバー１４に保存されている画像のサムネイルをデジタルカメラ１０側で表示させ（Ｓ７３０）、ダウンロードする画像にチェックを入れて選択し（Ｓ７４０）、選択画像のみダウンロードする（Ｓ７５０）。
【００４１】
なお、Ｓ７３０において、サムネイル表示だけでなくサーバー１４の画像保存先のフォルダ名、撮影者、日付等の付加情報を表示してもよい。また、Ｓ７２０において、自動的にグループ内の画像をダウンロードするように設定している場合には、自分でアップロードした画像は自動ダウンロードの対象外に設定してもよい。更に、ＩＤカード１２をデジタルカメラ１０に差し込んでいなくても、サーバー１４に保存された画像の有無をデジタルカメラ１０又はＩＤカード１２の画像表示装置に表示してもよい。
【００４２】
したがって、ユーザー２は、デジタルカメラ１０及びＩＤカード１２の設定を個人ＩＤナンバー又はグループＩＤナンバーのいずれの場合についても、ＩＤナンバーの設定に関わらず上記のフローチャートを進行することができる。
【００４３】
また、ユーザー２がサーバー１４から画像をダウンロード中であっても、新たなグループ内のユーザーであるユーザー３は画像をダウンロードすることができる。
【００４４】
画像の保存先であるサーバー１４は、ネットワークで結ばれており、例えばサーバー１４がコンビニエンスストア又は家電量販店等の各店舗に一様にして置かれている場合、異なる店舗を利用するユーザーであっても画像の共有化ができる。
【００４５】
図６は、ＩＤカードに対する情報書込みの概念図が示されている。
【００４６】
同図によれば、ＩＤカード１２には、デジタルカメラ１０のシリアルナンバー、メーカー情報等の製造時の初期情報があらかじ書き込まれているが、ユーザーに購入された購入時、ユーザーによる使用時には、個人ＩＤナンバー、家族ＩＤナンバー、グループＩＤナンバー、及びその他の個人情報が購入店又はユーザーにより書き込まれる。また、ＩＤカード１２には撮影画像も書き込めることができ、この場合、このＩＤカード１２が現行の記録メディアとして使用できる。
【００４７】
一方、図７には、一つ以上のＩＤナンバーが登録されているＩＤカード１２が差し込まれたデジタルカメラ１０において、デジタルカメラ１０の操作ボタン１６の操作によって、ユーザー及びＩＤナンバー等の切り替えを行うことが示されている。この場合、デジタルカメラ１０液晶モニタ１８にユーザーの顔画像又は個人名やＩＤナンバーが表示される。
【００４８】
また、図８には、ＩＤカード１２に画像表示部２０及びユーザーＩＤの切替ボタン２２が備え付けられており、切替ボタン２２の操作によりグループＩＤナンバーや個人ＩＤナンバー等を切り替えることが示されている。
【００４９】
なお、実施の形態では、ＩＤ番号の認証手段をサーバー１４側に持たせたが、これに限定されるものではなく、デジタルカメラ１０側に持たせてもよい。この場合、未登録のＩＤカード１２がデジタルカメラ１０側に装着されると、カメラ制御が不能なる等のセキュリティー制御を行うことが好ましい。
【００５０】
図９には、デジタルカメラ１０の構成を示すブロック図が示されている。
【００５１】
デジタルカメラ１０の撮影ボタン２４は、デジタルカメラ１０を把持したユーザーの右手の人指し指によって半押し及び全押し操作される。この半押し操作時にフォーカス調整が行われ、この後に全押し操作されることにより被写体像がレンズ装置２６を介してＣＣＤ（撮像素子）２８に結像される。
【００５２】
液晶モニタ１８はデジタルカメラ１０の背面には設けられ、デジタルカメラ１０の背面には、液晶モニタ１８の他、電源スイッチ、モード選択スイッチ、メニュー／ＯＫキー、キャンセルキー、及び十字キー等の操作ボタン１６が設けられている。電源スイッチは、デジタルカメラ１０全体の動作の開始と停止、すなわち電池３０からの電力供給の開始と停止を指示するために操作される。モード選択スイッチは、静止画を撮影するカメラモード、動画を撮影する動画モード、及び記録メディアに記録している画像を再生表示する再生モードのうち一つのモードを選択するスイッチであり、選択したモードに基づく画像が液晶モニタ１８に表示される。メニュー／ＯＫキーは、液晶モニタ１８の画面上にメニューを表示させる指令を行うためのメニューボタンとしての機能と、選択内容の確定及び実行などを指令するＯＫボタンとしての機能とを兼備した操作キーである。キャンセルキーは、選択項目など所望の対象の消去や指示内容の取消し、あるいは１つ前の操作状態に戻らせる時などに使用される。十字キーは、上下左右の４方向に傾倒自在に設けられ、モード等の設定における各種設定項目の選択や、設定内容の変更及び記録した画像の消去を指示する操作キーとして使用されるとともに、ズームの倍率調整、再生時のコマ送り／戻し等を指示する操作キーとして使用される。
【００５３】
このデジタルカメラ１０は、中央処理装置（ＣＰＵ）３６によってその全体動作が統括制御されている。 ＣＰＵ３６は、所定のプログラムに従ってカメラシステムを制御する制御手段として機能するとともに、自動露出（ＡＥ）演算、自動焦点調節（ＡＦ）演算、ホワイトバランス（ＷＢ）調整演算など、各種演算を実施する演算手段として機能する。
【００５４】
バス３８を介してＣＰＵ３６と接続されたＲＯＭ４０には、ＣＰＵ３６が実行するプログラム及び制御に必要な各種データ等が格納され、ＥＥＰＲＯＭ４２には、ＣＣＤ画素欠陥情報、カメラ動作に関する各種定数／情報等が格納されている。
【００５５】
また、メモリ（ＳＤＲＡＭ）４４は、プログラムの展開領域及びＣＰＵ３６の演算作業用領域として利用されるとともに、画像データや音声データの一時記憶領域として利用される。記録部（ＨＤＤ）４６は画像データ専用の一時記憶メモリであって、デジタルカメラ１０の十字キーの操作によって消去可能である。
【００５６】
撮影ボタン２４は、撮影開始の指示を入力する操作ボタンであり、半押し時にオンになるＳ１スイッチと、全押し時にオンになるＳ２スイッチとを有する二段ストローク式のスイッチで構成されている。
【００５７】
液晶モニタ１８は、ユーザインターフェース用表示画面としても利用され、必要に応じてメニュー情報や選択項目、設定内容などの情報が表示される。また、液晶モニタ１８には、記録部４６に記録された画像データが縮小されてサムネイル表示される。この液晶モニタ１８は液晶ディスプレイであるが、これに代えて、有機ＥＬなど他の方式の表示装置を用いることも可能である。
【００５８】
デジタルカメラ１０は、メディアソケット４７を有し、メディアソケット４７には記録メディア４８が装着される。記録メディアの形態は特に限定されず、スマートメディア（商標）に代表される半導体メモリカード、可搬型小型ハードディスク、磁気ディスク、光ディスク、光磁気ディスクなど、種々の媒体を用いることができる。
【００５９】
メディアコントローラ５０は、メディアソケット４７に装着される記録メディア４８に適した入出力信号の受渡しを行うために所要の信号変換を行う。
【００６０】
また、デジタルカメラ１０は、パソコンその他の外部機器と接続するための通信手段としてＵＳＢインターフェース部５２を備えている。このＵＳＢインターフェース部５２に接続された、通信端子であるコネクタに、不図示のＵＳＢケーブルを介して外部機器を接続することにより、外部機器との間で画像データ等のデータの受渡しが可能となる。もちろん、通信方式はＵＳＢに限らず、その他の通信方式を適用してもよい。
【００６１】
次に、デジタルカメラ１０の撮影機能について説明する。
【００６２】
モード選択スイッチによってカメラモード又は動画モードが選択されると、カラーＣＣＤ固体撮像素子（以下ＣＣＤと記載）２８を含む撮像部に電源が供給され、撮影可能な状態になる。
【００６３】
レンズ装置２６は、屈曲光学系を有する撮影レンズ群１００と絞り兼用メカシャッター５６とを含む光学ユニットである。レンズ装置２６は、ＣＰＵ３６によって制御されるレンズ駆動部５８、絞り駆動部６０によって電動駆動され、ズーム制御、フォーカス制御及びアイリス制御が行われる。
【００６４】
撮影レンズ群１００を通過した光は、ＣＣＤ２８の受光面に結像される。ＣＣＤ２８の受光面には多数のフォトダイオード（受光素子）が二次元的に配列されており、各フォトダイオードに対応して赤（Ｒ）、緑（Ｇ）、青（Ｂ）の原色カラーフィルタが所定の配列構造で配置されている。また、ＣＣＤ２８は、各フォトダイオードの電荷蓄積時間（シャッタースピード）を制御する電子シャッター機能を有している。ＣＰＵ３６は、タイミングジェネレータ６２を介してＣＣＤ２８での電荷蓄積時間を制御する。なお、ＣＣＤ２８に代えてＭＯＳ型など他の方式の撮像素子を用いてもよい。
【００６５】
ＣＣＤ２８の受光面に結像された被写体像は、各フォトダイオードによって入射光量に応じた量の信号電荷に変換される。各フォトダイオードに蓄積された信号電荷は、ＣＰＵ３６の指令に従いタイミングジェネレータ６２から与えられる駆動パルスに基づいて信号電荷に応じた電圧信号（画像信号）として順次読み出される。
【００６６】
ＣＣＤ２８から出力された信号はアナログ処理部（ＣＤＳ／ＡＭＰ）６４に送られ、ここで画素毎のＲ、Ｇ、Ｂ信号がサンプリングホールド（相関二重サンプリング処理）され、増幅された後、Ａ／Ｄ変換器６６に加えられる。Ａ／Ｄ変換器６６によってデジタル信号に変換された点順次のＲ、Ｇ、Ｂ信号は、画像入力コントローラ６８を介してメモリ４４に記憶される。
【００６７】
画像信号処理回路７０は、メモリ４４に記憶されたＲ、Ｇ、Ｂ信号をＣＰＵ３６の指令に従って処理する。すなわち、画像信号処理回路７０は、同時化回路（単板ＣＣＤのカラーフィルタ配列に伴う色信号の空間的なズレを補間して色信号を同時式に変換する処理回路）、ホワイトバランス補正回路、ガンマ補正回路、輪郭補正回路、輝度・色差信号生成回路等を含む画像処理手段として機能し、ＣＰＵ３６からのコマンドに従ってメモリ４４を活用しながら所定の信号処理を行う。
【００６８】
画像信号処理回路７０に入力されたＲＧＢの画像データは、画像信号処理回路７０において輝度信号及び色差信号に変換されるとともに、ガンマ補正等の所定の処理が施される。画像信号処理回路７０で処理された画像データは記録部４６に記録される。
【００６９】
撮影画像を液晶モニタ１８にモニタ出力する場合、データ記録部４６から画像データが読み出され、バス３８を介してビデオエンコーダ７２に送られる。ビデオエンコーダ７２は、入力された画像データを表示用の所定方式の信号（例えば、ＮＴＳＣ方式のカラー複合映像信号）に変換して液晶モニタ１８に出力する。
【００７０】
撮影ボタン２４が半押しされ、Ｓ１がオンになると、デジタルカメラ１０はＡＥ及びＡＦ処理を開始する。すなわち、ＣＣＤ２８から出力された画像信号はＡ／Ｄ変換後に画像入力コントローラ６８を介してＡＦ検出回路７４並びにＡＥ／ＡＷＢ検出回路７６に入力される。
【００７１】
ＡＥ／ＡＷＢ検出回路７６は、１画面を複数のエリア（例えば、１６×１６）に分割し、分割エリアごとにＲＧＢ信号を積算する回路を含み、その積算値をＣＰＵ３６に提供する。ＣＰＵ３６は、ＡＥ／ＡＷＢ検出回路７６から得た積算値に基づいて被写体の明るさ（被写体輝度）を検出し、撮影に適した露出値（撮影ＥＶ値）を算出する。求めた露出値と所定のプログラム線図に従い、絞り値とシャッタースピードが決定され、これに従いＣＰＵ３６はＣＣＤ２８の電子シャッター及びアイリスを制御して適正な露光量を得る。
【００７２】
また、ＡＥ／ＡＷＢ検出回路７６は、自動ホワイトバランス調整時には、分割エリアごとにＲＧＢ信号の色別の平均積算値を算出し、その算出結果をＣＰＵ３６に提供する。ＣＰＵ３６は、Ｒの積算値、Ｂの積算値、Ｇの積算値を得て、各分割エリアごとにＲ／Ｇ及びＢ／Ｇの比を求め、これらＲ／Ｇ、Ｂ／Ｇの値のＲ／Ｇ、Ｂ／Ｇの色空間における分布等に基づいて光源種判別を行い、判別された光源種に適したホワイトバランス調整値に従って、例えば、各比の値がおよそ１になるように、ホワイトバランス調整回路のＲ、Ｇ、Ｂ信号に対するゲイン値（ホワイトバランス補正値）を制御し、各色チャンネルの信号に補正をかける。前述した各比の値を１以外の値になるようにホワイトバランス調整回路のゲイン値を調整すると、ある色味が残った画像を生成することができる。
【００７３】
デジタルカメラ１０におけるＡＦ制御は、例えば映像信号のＧ信号の高周波成分が極大になるようにフォーカシングレンズ（撮影レンズ群１００を構成するレンズ光学系のうちフォーカス調整に寄与する移動レンズ）を移動させるコントラストＡＦが適用される。すなわち、ＡＦ検出回路７４は、Ｇ信号の高周波成分のみを通過させるハイパスフィルタ、絶対値化処理部、画面内（例えば、画面中央部）に予め設定されているフォーカス対象エリア内の信号を切り出すＡＦエリア抽出部、及びＡＦエリア内の絶対値データを積算する積算部から構成される。
【００７４】
ＡＦ検出回路７４で求めた積算値のデータはＣＰＵ３６に通知される。ＣＰＵ３６は、レンズ駆動部５８を制御してフォーカシングレンズを移動させながら、複数のＡＦ検出ポイントで焦点評価値（ＡＦ評価値）を演算し、評価値が極大となるレンズ位置を合焦位置として決定する。そして、求めた合焦位置にフォーカシングレンズを移動させるようにレンズ駆動部５８を制御する。なお、ＡＦ評価値の演算はＧ信号を利用する態様に限らず、輝度信号（Ｙ信号）を利用してもよい。
【００７５】
撮影ボタン２４が半押しされ、Ｓ１オンによってＡＥ／ＡＦ処理が行われ、撮影ボタン２４が全押しされ、Ｓ２オンによって記録用の撮影動作がスタートする。Ｓ２オンに応動して取得された画像データは画像信号処理回路７０において輝度／色差信号（Ｙ／Ｃ信号）に変換され、ガンマ補正等の所定の処理が施された後、メモリ４４に格納される。
【００７６】
メモリ４４に格納されたＹ／Ｃ信号は、圧縮伸張回路７８によって所定のフォーマットに従って圧縮された後、メディアコントローラ５０を介して記録メディア４８に記録される。例えば、静止画についてはＪＰＥＧ形式で記録される。
【００７７】
モード選択スイッチにより再生モードが選択されると、記録メディア４８に記録されている最終の画像ファイル（最後に記録されたファイル）の圧縮データが読み出される。最後の記録に係るファイルが静止画ファイルの場合、この読み出された画像圧縮データは、圧縮伸張回路７８を介して非圧縮のＹＣ信号に伸張され、画像信号処理回路７０及びビデオエンコーダ７２を介して表示用の信号に変換された後、液晶モニタ１８に出力される。これにより、当該ファイルの画像内容が液晶モニタ２４の画面上に表示される。
【００７８】
静止画の一コマ再生中（動画の先頭フレーム再生中も含む）に、十字キーの右キー又は左キーを操作することによって、再生対象のファイルを切り換えること（順コマ送り／逆コマ送り）ができる。コマ送りされた位置の画像ファイルが記録メディア４８から読み出され、上記と同様にして静止画像や動画が液晶モニタ１８に再生表示される。なお、デジタルカメラ１０は、電源回路８０を介して供給される二次電池３０の電力によって駆動される。
【００７９】
また、デジタルカメラ１０には、二次電池３０を充電するためのコネクタ（不図示）が設けられている。更にまた、記録部４６に記憶された画像データを他の機器に転送するコネクタ（不図示）が設けられている。
【００８０】
更にまた、デジタルカメラ１０には、ＩＤカード１２に記録された個人ＩＤナンバーを無線によってサーバー１４に送信する無線機９０が内蔵されている。以上がデジタルカメラ１０の全体構成である。
【図面の簡単な説明】
【００８１】
【図１】実施の形態のデジタルカメラを使用したネットワークフォトシステムの概要図
【図２】個人ＩＤナンバーの登録方法の一例を示したフローチャート
【図３】グループＩＤナンバーの登録方法の一例を示したフローチャート
【図４】画像のアップロード方法の一例を示したフローチャート
【図５】画像のダウンロード方法の一例を示したフローチャート
【図６】ＩＤカードに対する情報書込みの概念図
【図７】ＩＤカードの情報の切り替えをデジタルカメラで行うことを示した説明図
【図８】ＩＤカードの切替ボタンによって情報を切り替えることを示した説明図
【図９】デジタルカメラの構成を示したブロック図
【符号の説明】
【００８２】
１０…デジタルカメラ、１２…ＩＤカード、１４…サーバー、１６…操作ボタン、１８…画像表示部、２０…画像表示部、２２…切替ボタン
【図１】
2007201555.tif 000003
【図２】
2007201555.tif 000004
【図３】
2007201555.tif 000005
【図４】
2007201555.tif 000006
【図５】
2007201555.tif 000007
【図６】
2007201555.tif 000008
【図７】
2007201555.tif 000009
【図８】
2007201555.tif 000010
【図９】
2007201555.tif 000011